(57)【要約】【課題】ストライカーが強制的に引き抜かれた場合にも、ラッチ本体やハウジングの変形を防ぐことができるラッチ装置を提供する。【解決手段】ストライカーＳのロック及びロックの解除が、該ストライカーＳをハウジング１２に押し込む操作によって行われるラッチ装置において、ストライカーＳを挟持する挟持部３０を備えるラッチ本体と、ラッチ本体をロック解除位置へ向かって付勢する付勢ばねと、ラッチ本体に形成されたカム溝にそって摺動し、ロック操作によってラッチ本体を、ロック解除位置と最大押し込み位置との間のロック位置に係止するガイドレバー１４とを備えるとともに、挟持部３０によって挟持されたストライカーＳが強制的に引き抜かれた際に弾性変形することによってストライカーＳの挟持を解除する樹脂ばね４０を備えた。【選択図】図７
2013213336.tif 000002
【特許請求の範囲】
【請求項１】
ストライカーのロック及びロックの解除が、該ストライカーをハウジングに押し込む操作によって行われるラッチ装置において、
前記ストライカーを挟持する挟持部を備え、前記ハウジング内をロック解除位置と最大押し込み位置との間で移動可能なラッチ本体と、
前記ラッチ本体を前記ロック解除位置へ向かって付勢する付勢ばねと、
前記ラッチ本体に形成されたカム溝にそって摺動し、ロック操作によって前記ラッチ本体を、前記ロック解除位置と最大押し込み位置との間のロック位置に係止するガイドレバーとを備えるとともに、
前記挟持部によって挟持された前記ストライカーが強制的に引き抜かれた際に、弾性変形することによって前記ストライカーの挟持を解除する弾性部を備えたことを特徴とするラッチ装置。
【請求項２】
前記弾性部は、
前記ハウジングと前記ラッチ本体との間に介在し、前記ロック位置の前記ラッチ本体の挟持部を互いに近接する方向に付勢するとともに、ロックされた前記ストライカーが強制的に引き抜かれた際に圧縮されて前記挟持部を外側に退避させるばねからなる請求項１に記載のラッチ装置。
【請求項３】
前記ばねは、前記ラッチ本体側に湾曲し、前記ハウジングの開口部に設けられた請求項２に記載のラッチ装置。
【請求項４】
前記弾性部は、
スリットが形成された前記ハウジングであって、前記ロック位置の前記ラッチ本体の挟持部と当接してその開度を規制するとともに、ロックされた前記ストライカーが強制的に引き抜かれた際に外側に撓んで前記挟持部を外側に退避させる請求項１に記載のラッチ装置。
【請求項５】
前記弾性部は、
空洞部が形成された前記挟持部であって、
前記挟持部は、ロックされた前記ストライカーが強制的に引き抜かれた際に圧縮される請求項１に記載のラッチ装置。
【請求項６】
前記弾性部は、
空洞部が形成された前記ストライカーであって、
前記ストライカーは、ロックされた前記ストライカーが、所定の大きさ以上の引き抜き力で強制的に引き抜かれた際に圧縮される請求項１に記載のラッチ装置。
【発明の詳細な説明】
【技術分野】
【０００１】
この発明は、扉や引き出し等の移動体、又は移動体が取り付けられた本体に固定され、移動体を押し込むことでロック及びロック解除を行うためのラッチ装置に関する。
【背景技術】
【０００２】
従来より、扉や引き出し等の移動体を本体に対して開閉するために、移動体又は本体にラッチ装置が設けられている。
例えば特許文献１には、いわゆるプッシュ・プッシュ式のラッチ装置の一例が記載されている。図１３に示すように、ラッチ装置は、ハウジング１００と、ハウジング１００の開口１０１から内側に挿入されるラッチボディ１０２と、ラッチボディ１０２をハウジング１００から抜け出す方向に付勢する圧縮コイルばね１０３とを備える。ラッチボディ１０２の両側面には、循環カム溝１０４とハート突起部１０５とが形成されている。この循環カム溝１０４には、ハウジング１００に対し揺動可能に固定されたガイドレバー１０６のトレース部１０７が挿入され、トレース部１０７は、循環カム溝１０４及びハート突起部１０５の側壁を摺動して循環移動する。また、ラッチボディ１０２の先端には、アーム１０８，１０９が備えられている。
【０００３】
そして、例えば扉や引き出し等の移動体にストライカー１１０が取り付けられ、本体側にラッチ装置が取り付けられて、ストライカー１１０が、図１３に示すロック解除位置のラッチボディ１０２に挿入されると、ラッチボディ１０２は、圧縮コイルばね１０３の付勢力に抗してハウジング１００内に押し込まれる。ラッチボディ１０２がハウジング１００に押し込まれる際、アーム１０８，１０９は、ハウジング１００の内側面に当接することにより、互いに近接する方向に回転する。そして図１４に示すように、ラッチボディ１０２がロック位置に配置されると、トレース部１０７は、ハート突起部１０５の凹部に係止され、ストライカー１１０の先端はアーム１０８，１０９によって挟持されてロック状態となり、移動体は本体に対して閉止される。
【先行技術文献】
【特許文献】
【０００４】
【特許文献１】特許第３１２６９９２号公報
【発明の概要】
【発明が解決しようとする課題】
【０００５】
しかし、ラッチ装置がロック状態にあるとき、移動体が、本体から離間する方向に強制移動されて無理に開かれる場合がある。このようにストライカー１１０がラッチ装置から強制的に引き抜かれると、アーム１０８，１０９がハウジング１００の内側面に押し付けられるため、アーム１０８,１０９やハウジング１００が変形したり、各部品の摩耗速度が増大するおそれがある。
【０００６】
本発明は、上記問題点に鑑みてなされたものであり、その目的は、ストライカーが強制的に引き抜かれた場合にも、ラッチ本体やハウジングの変形を防ぐことができるラッチ装置を提供することにある。
【課題を解決するための手段】
【０００７】
上記問題点を解決するために、請求項１に記載の発明は、ストライカーのロック及びロックの解除が、該ストライカーをハウジングに押し込む操作によって行われるラッチ装置において、前記ストライカーを挟持する挟持部を備え、前記ハウジング内をロック解除位置と最大押し込み位置との間で移動可能なラッチ本体と、前記ラッチ本体を前記ロック解除位置へ向かって付勢する付勢ばねと、前記ラッチ本体に形成されたカム溝にそって摺動し、ロック操作によって前記ラッチ本体を、前記ロック解除位置と最大押し込み位置との間のロック位置に係止するガイドレバーとを備えるとともに、前記挟持部によって挟持された前記ストライカーが強制的に引き抜かれた際に、弾性変形することによって前記ストライカーの挟持を解除する弾性部を備えたことを要旨とする。
【０００８】
請求項１に記載の発明によれば、弾性部は、ロックされたストライカーを強制的に引き抜く、いわゆる無理抜き操作が行われた際に、弾性変形することによって挟持部によるストライカーの挟持を解除する。このため、無理抜き操作が行われたときに、挟持部やハウジングに無理な力が加えられることがなく、それらの部品の変形を防ぐことができる。
【０００９】
請求項２に記載の発明は、請求項１に記載のラッチ装置において、前記弾性部は、前記ハウジングと前記ラッチ本体との間に介在し、前記ロック位置の前記ラッチ本体の挟持部を互いに近接する方向に付勢するとともに、ロックされた前記ストライカーが強制的に引き抜かれた際に圧縮されて前記挟持部を外側に退避させるばねからなることを要旨とする。
【００１０】
請求項２に記載の発明によれば、弾性部は、ハウジングとラッチ本体との間に介在するばねからなる。このため、通常のロック状態ではラッチ本体の挟持部を互いに近接する方向に付勢するとともに、ストライカーが強制的に引き抜かれる際には圧縮されて、ストライカーの引き抜きを許容する。このように弾性部をばねとして別途設けることで、弾性部の付勢力が比較的調整しやすくなるため、無理抜き操作を許容する力の大きさを適宜設定することができる。
【００１１】
請求項３に記載の発明は、請求項２に記載のラッチ装置において、前記ばねは、前記ラッチ本体側に湾曲し、前記ハウジングの開口部に設けられたことを要旨とする。
請求項３に記載の発明によれば、ばねは、ラッチ本体側に湾曲した形状を有しているので、挟持部がばねに対向するまでラッチ本体を挿入すると、挟持部を互いに近接する方向に付勢することができる。また、ラッチ本体を強制的に引き抜くと、ラッチ本体と反対側に弾性変形することにより、挟持部を退避させることができる。
【００１２】
請求項４に記載の発明は、請求項１に記載のラッチ装置において、前記弾性部は、スリットが形成された前記ハウジングであって、前記ロック位置の前記ラッチ本体の挟持部と当接してその開度を規制するとともに、ロックされた前記ストライカーが強制的に引き抜かれた際に外側に撓んで前記挟持部を外側に退避させることを要旨とする。
【００１３】
請求項４に記載の発明によれば、弾性部は、スリットが形成されたハウジングからなる。このため、通常のロック状態では、ハウジングによってラッチ本体の挟持部の開度を規制するとともに、ストライカーが強制的に引き抜かれる際には圧縮して、スリット形成部が外側に撓むことによってストライカーの引き抜きを許容する。従って、部品点数を増やすことなく、弾性部を構成することができる。
【００１４】
請求項５に記載の発明は、請求項１に記載のラッチ装置において、空洞部が形成された前記挟持部であって、前記挟持部は、ロックされた前記ストライカーが強制的に引き抜かれた際に圧縮されることを要旨とする。
【００１５】
請求項５に記載の発明によれば、弾性部は、空洞部が形成された挟持部であるため、挟持部が比較的圧縮されやすくなる。このため、通常のロック状態では、挟持部は、ストライカーを挟持するが、ストライカーが強制的に引き抜かれる際には、圧縮されてストライカーの引き抜きを許容する。
【００１６】
請求項６に記載の発明は、請求項１に記載のラッチ装置において、前記弾性部は、空洞部が形成された前記ストライカーであって、前記ストライカーは、ロックされた前記ストライカーが、所定の大きさ以上の引き抜き力で強制的に引き抜かれた際に圧縮されることを要旨とする。
【００１７】
請求項６に記載の発明によれば、弾性部は、空洞部が形成されたストライカーであるため、ストライカーが比較的圧縮されやすくなる。このため、通常のロック状態では、挟持部はストライカーを挟持するが、ストライカーが強制的に引き抜かれる際には、ストライカーが圧縮されることによりストライカーの引き抜きを許容する。
【図面の簡単な説明】
【００１８】
【図１】本発明のラッチ装置を具体化した第１実施形態であって、その全体を示す斜視図。
【図２】同ラッチ装置を構成するハウジングの断面を示す斜視図。
【図３】同ラッチ装置を構成するラッチ本体、付勢ばね及びガイドレバーの斜視図。
【図４】ラッチ本体の平面図。
【図５】ロック解除状態の同ラッチ装置を示す要部断面図。
【図６】ロック状態の同ラッチ装置を示す要部断面図。
【図７】無理抜き操作が行われた際の同ラッチ装置を示す要部断面図。
【図８】本発明のラッチ装置を具体化した第２実施形態であって、その全体を示す斜視図。
【図９】無理抜き操作が行われた際の同ラッチ装置を示す要部断面図。
【図１０】本発明のラッチ装置を具体化した第３実施形態であって、そのラッチ本体を示す斜視図。
【図１１】無理抜き操作が行われた際の同ラッチ装置を示す要部断面図。
【図１２】本発明のラッチ装置を具体化した変形例であって、無理抜き操作が行われた際の同ラッチ装置を示す要部断面図。
【図１３】従来のラッチ装置であって、そのロック解除状態を示す断面図。
【図１４】従来のラッチ装置であって、ロック状態を示す断面図。
【発明を実施するための形態】
【００１９】
（第１実施形態）
以下、本発明のラッチ装置を具体化した第１実施形態について、図１〜図７に従って説明する。ラッチ装置は、プッシュ・プッシュ式の装置であって、扉、蓋、引き出し等の移動体、又はその移動体が備えられたキャビネット、オーディオ機器等の本体に設けられる。本実施形態では、ラッチ装置を、キャビネット本体に設けられるものとして説明する。
【００２０】
図１に示すように、ラッチ装置１１は、ハウジング１２と、一対の挟持部３０を有するラッチ本体１５とを備える。ハウジング１２は、ＰＯＭ等の樹脂からなり、キャビネット本体に取り付けられる。また、キャビネットの扉側には、ラッチ装置１１をロック状態及びロック解除状態とするためのストライカーＳが設けられている。ストライカーＳは、移動体側の基端部Ｓ１と、外側に張り出した拡径部Ｓ２とを備えている。扉を閉止する際は、キャビネット本体に対し開状態の扉を押し込むことで、ストライカーＳがラッチ装置１１に挿入されてロックされる。扉を開く際は、閉止された扉を本体側に押し込むことで、ストライカーＳがラッチ装置１１から引き抜かれてロック解除される。
【００２１】
まずハウジング１２の構成について説明する。図２に示すように、ハウジング１２は、有底筒状をなし、上壁部２０ａ、側壁部２０ｂ，２０ｃ、背壁部２０ｄ及び底壁部２０ｅからなるハウジング基体２０と、ハウジング基体２０の開口部に設けられ、ハウジング基体２０から外側に張り出すように形成された枠部２１とを備える。枠部２１は、ハウジング開口からみて長方形状をなしている。
【００２２】
図１に示すように、ハウジング基体２０の側壁部２０ｂ，２０ｃには、爪部２２がそれぞれ形成されている。これらの爪部２２と枠部２１との間にキャビネット本体の一部が固定され、爪部２２がキャビネット本体の孔に嵌合されることにより、ハウジング１２がキャビネット本体に対して取り付けられる。また、ハウジング基体２０の上壁部２０ａには、ガイド溝２０ｈが、ハウジング基体２０の長手方向に沿って貫通形成されている。
【００２３】
図２に示すように、ハウジング１２の背壁部２０ｄには、棒状のばね受け部２３が、ハウジング基体２０の長手方向に沿って延出形成されている。ばね受け部２３は、背壁部２０ｄのうち、側壁部２０ｂ側に偏移した位置に設けられている。このばね受け部２３には、図３に示す付勢ばね１３が外嵌される。付勢ばね１３は、コイルばねであって、ハウジング１２とラッチ本体１５との間に介在して、ラッチ本体１５を枠部２１から突出する方向に付勢する。
【００２４】
また図２に示すように、このハウジング１２の背壁部２０ｄには、挿入孔２０ｆが形成されている。この挿入孔２０ｆからは、図３に示すガイドレバー１４が内部に挿入可能である。ガイドレバー１４は、ＳＵＳ等の線材からなり、側面視において長方形の四角環を一部切り欠いたような略コの字状に形成されている。
【００２５】
さらに図２に示すように、ハウジング１２の背壁部２０ｄと側壁部２０ｃとにかけて、１対のＬ字状のレバー固定部２０ｇが形成されている。これらのレバー固定部２０ｇと背壁部２０ｄとの間に設けられる溝にはガイドレバー１４が揺動可能に固定されるようになっている。
【００２６】
次に、ラッチ本体１５について説明する。ラッチ本体１５は、ＰＯＭ等の樹脂からなり、図３に示すように、上述した一対の挟持部３０と、挟持部３０に対して後方に延びるラッチ基体３１とを備えている。挟持部３０は、その基端に薄肉化されたヒンジ部３２を備えている。また、挟持部３０の先端には、大径部３０ａが設けられ、ヒンジ部３２と大径部３０ａとの間には、大径部３０ａよりも幅が狭い中間部３０ｂが設けられている。
【００２７】
ラッチ本体１５がハウジング内に押し込まれると、ヒンジ部３２を中心に互いに近接する方向に回動する。そして、大径部３０ａと中間部３０ｂとの段差に、ストライカーＳの拡径部Ｓ２が係止されることにより、ストライカーＳが挟持部３０に挟持される。また、ラッチ本体１５がロック解除位置に配置されて、各挟持部３０がハウジング１２から抜き出されると、各挟持部３０は、弾性力により元の位置に復帰する。
【００２８】
さらに、ラッチ基体３１には、突片３３が形成されている。突片３３は、ラッチ本体１５がハウジング１２に収容された際に、ハウジング基体２０に形成されたガイド溝２０ｈに摺動可能に内嵌される。突片３３がガイド溝２０ｈに嵌合されることにより、ラッチ本体１５の挿入方向の移動範囲が規制され、ロック解除状態になってもラッチ本体１５がハウジング１２から抜き出されずに保持される。
【００２９】
また、ラッチ基体３１には、嵌挿穴３４が形成されている。この嵌挿穴３４には、ハウジング１２のばね受け部２３に支持された付勢ばね１３が嵌挿される。
さらに図４に示すように、ラッチ基体３１の平面には、ガイドレバー１４（図３参照）が摺動する第１の循環カム溝３５と、第１のハートカム３６とが形成されている。さらに図４中鎖線で示すように、ラッチ基体３１の底面には、第２の循環カム溝３７と、第２のハートカム３８とが形成されている。
【００３０】
図４に示すように、第１の循環カム溝３５は、第１のハートカム３６の外側を囲むように形成され、その入口には、外側に拡開された挿入口３５ａが形成されている。また、各挟持部３０の間に設けられた壁部３９からは、第１の循環カム溝３５側へ突き出すように区画壁４２が設けられている。この区画壁４２により、第１係止部４２ａと第２係止部４２ｂとが区画形成される。
【００３１】
また図３に示すように、第１の循環カム溝３５の入口には、傾斜面４１が設けられている。ラッチ本体１５がハウジング１２に収容された際、ガイドレバー１４の先端がこの傾斜面４１の上を摺動することによって、ガイドレバー１４の先端が第１の循環カム溝３５に導かれる。
【００３２】
また、第２の循環カム溝３７は、ハートカム３８の外側を囲むように形成されている。第２の循環カム溝３７は、ラッチ基体３１の長手方向の側端３１ａが開放された形状に形成されている。
【００３３】
図５に示すように、ハウジング開口部であって、枠部２１の内周面のうち２箇所には、凹状のばね収容部２１ａが形成されている。このばね収容部２１ａは、断面アーチ状の樹脂ばね４０が圧入されている。この樹脂ばね４０は、ハウジング１２と、ハウジング内に挿入されたラッチ本体１５の各挟持部３０との間に介在し、挟持部３０の復帰力を上回る弾性力によって、各挟持部３０を内側に近接する方向に付勢する。
【００３４】
次に、上述したラッチ装置１１の作用について説明する。図５に示すように、ラッチ装置１１のハウジング１２は、キャビネット本体Ｃに形成された凹部Ｃ１に固定され、爪部２２は、凹部Ｃ１に形成された孔Ｃ２に嵌合されている。扉が開状態とされた場合には、ラッチ本体１５は付勢ばね１３によってロック解除位置に配置される。
【００３５】
ラッチ本体１５がロック解除位置に配置されたとき、各挟持部３０は、ハウジング１２の開口から外側に突出し、外側に拡開した状態とされる。また、ガイドレバー１４のトレース部１４ａは、第１の循環カム溝３５の挿入口３５ａ付近の側面に当接する。また図示は省略するが他方のトレース部１４ｂは、表側のトレース部１４ａに従って第２の循環カム溝３７内を摺動する。さらに突片３３は、ハウジング１２のガイド溝２０ｈに嵌合されている。
【００３６】
扉をキャビネット本体Ｃに対し押し込むと、ラッチ本体１５にストライカーＳが挿入され、ラッチ本体１５の壁部３９にストライカーＳの拡径部Ｓ２の先端が当接する。そしてストライカーＳを介して、ラッチ本体１５がハウジング内に押し込まれる。ハウジング内に押し込まれるに伴い、ラッチ本体１５の挟持部３０は、樹脂ばね４０によって、ヒンジ部３２を中心に互いに近接する方向に回動していく。このとき、ガイドレバー１４はハウジング１２に固定された基端部を中心に揺動し、トレース部１４ａは、第１の循環カム溝３５の入口側通路３５ｂの側面を摺動した後、ハートカム３６の側面３６ａに当接して、第１係止部４２ａに続くカム溝３５ｃに導かれる。また、他方のトレース部１４ｂもまた、第２のハートカム３８の側面を摺動していく。
【００３７】
さらに扉をキャビネット本体Ｃに対して押し込むと、ガイドレバー１４のトレース部１４ａが、第１の循環カム溝３５を、図５中矢印方向に摺動する。そして、トレース部１４ａが第１係止部４２ａに当接することにより、ラッチ本体１５の挿入方向への移動が規制される。他方のトレース部１４ｂもまた、壁部３９に当接する。このとき、ラッチ本体１５は最大押し込み位置に配置される。挟持部３０は、樹脂ばね４０の付勢力により、ストライカーＳの拡径部Ｓ２を挟持する方向に付勢される。
【００３８】
ラッチ本体１５を最大押し込み位置に配置した後、扉に加わる押圧力を解除すると、図６に示すように、付勢ばね１３の付勢力により、ラッチ本体１５がハウジング１２から抜け出す方向に付勢される。この際、ガイドレバー１４のトレース部１４ｂが、裏面のハートカム３８の凹部３８ａ（図４参照）に係止されることにより、ラッチ本体１５の抜け出し方向の移動が規制される。その結果、ラッチ本体１５は、ロック解除位置と最大押し込み位置との間にある、ロック位置に配置される。また、各挟持部３０は、ハウジング１２の開口部及び樹脂ばね４０によりその開度が規制され、ストライカーＳの基端部Ｓ１を挟持する。これによって、ストライカーＳがラッチ装置１１に固定され、扉がキャビネット本体Ｃに対して閉止される。
【００３９】
ラッチ装置１１は、プッシュ・プッシュ式の装置であるため、閉止された扉を開く際には、扉を再度押し込むのが本来の操作である。しかし、扉を開く際に、扉を押圧せず、本体から離間する方向に無理に引っ張られることがある。このような無理抜き操作が行われた場合、図７に示すように、ラッチ本体１５は、ガイドレバー１４のトレース部１４ａ，１４ｂが、各ハートカム３６，３８の凹部によってそれぞれ係止されることでロック位置に保持される。
【００４０】
また、挟持部３０の大径部３０ａと中間部３０ｂとの段差が、ストライカーＳの拡径部Ｓ２によって引き抜き方向に押される。その一方でラッチ本体１５はロック位置に保持されているため、ストライカーＳを引き抜く力は、各挟持部３０を互いに離間する方向に回動させる力に変換される。ストライカーＳの引っ張り力が、所定値以下の大きさである場合には、挟持部３０はストライカーＳを挟持した状態を維持する。そして、ストライカーＳの引っ張り力が、所定の大きさを超えると、挟持部３０は、樹脂ばね４０の付勢力に抗して、互いに離間する方向へ回動し、ストライカーＳの拡径部Ｓ２の隅部が、挟持部３０の段差部を滑りながら乗り越えることで、ストライカーＳが挟持部３０から抜き出される。
【００４１】
このように無理抜き操作が行われたとしても、挟持部３０とハウジング１２との間に介在した樹脂ばね４０が圧縮されて、ストライカーＳの引き抜きを許容するので、挟持部３０とハウジング１２との圧接により、挟持部３０やハウジング１２が変形することがない。また、ラッチ本体１５がロック位置に配置された場合には、樹脂ばね４０により、ストライカーＳを挟持する方向に付勢するので、扉を閉止する。
【００４２】
第１実施形態によれば、以下のような効果を得ることができる。
（１）第１実施形態では、弾性部としての樹脂ばね４０により、ロック位置のラッチ本体１５の各挟持部３０が互いに近接する方向に付勢される。また、弾性部は、ロックされたストライカーＳを強制的に引き抜く、いわゆる無理抜き操作が行われた際に、挟持部３０を外側に退避させる。このため、無理抜き操作が行われたときに、挟持部３０やハウジング１２に無理な力が加えられることがなく、それらの部品の変形を防ぐことができる。
【００４３】
（２）第１実施形態では、弾性部は、ハウジング１２とラッチ本体１５との間に介在する樹脂ばね４０からなる。このため、通常のロック状態ではラッチ本体１５の挟持部３０を互いに近接する方向に付勢するとともに、無理抜き操作時には圧縮して、ストライカーＳの引き抜きを許容する。このように弾性部を樹脂ばね４０として別途設けることで、その付勢力が比較的調整しやすくなるため、無理抜き操作を許容する力の大きさを適宜設定することができる。
【００４４】
（第２実施形態）
次に、本発明を具体化した第２実施形態を図８〜図９にしたがって説明する。なお、第２実施形態は、第１実施形態のハウジング１２の一部を変更したのみの構成であるため、同様の部分についてはその詳細な説明を省略する。
【００４５】
図８に示すように、ハウジング１２の枠部２１のうち図中左側壁及び右壁部には、複数のスリット５０が貫通形成されている。本実施形態では、スリット５０は、左側壁に３本、右側壁に３本形成されている。スリット５０は、ハウジング１２の長手方向に沿って延び、ハウジング開口側で開口している。
【００４６】
次に、本実施形態の作用について説明する。図９に示すように、ロック状態のラッチ装置１１に対し、上述した無理抜き操作が行われた場合、ラッチ本体１５は、ガイドレバー１４と各ハートカム３６，３８との係止により、ロック位置に保持される。
【００４７】
一方、各挟持部３０は、ストライカーＳが引っ張られることにより、互いに離間する方向の力を受ける。このため、挟持部３０は、枠部２１を内側から押圧する。この際、枠部２１にはスリット５０が形成されているので、内側から押圧力を受けることによって外側に撓みやすく、特に開口部が拡開しやすくなっている。
【００４８】
そして、ストライカーＳの引っ張り力の大きさが所定値を超えると、枠部２１の開口部が外側に撓むことにより、各挟持部３０が互いに離間する方向に回動し、ストライカーＳの引き抜きを許容する。
【００４９】
従って、第２実施形態によれば、第１実施形態の（１）に記載の効果に加えて以下の効果を得ることができる。
（３）第２実施形態によれば、弾性部は、スリット５０が形成されたハウジング１２からなる。このため、通常のロック状態では、ハウジング１２によってラッチ本体１５の挟持部３０の開度を規制するとともに、ストライカーＳが強制的に引き抜かれる際には圧縮して、スリット５０が形成された枠部２１が外側に撓むことによってストライカーＳの引き抜きを許容する。従って、部品点数を増やすことなく、弾性部を構成することができる。
【００５０】
（第３実施形態）
次に、本発明を具体化した第３実施形態を図１０〜図１１にしたがって説明する。なお、第３実施形態は、第１実施形態のラッチ本体１５の一部を変更したのみの構成であるため、同様の部分についてはその詳細な説明を省略する。
【００５１】
図１０に示すように、ラッチ本体１５の挟持部３０は、その内側に、空洞部６０を有している。空洞部６０は、大径部３０ａから中間部３０ｂにかけて形成されている。このように空洞部６０が形成されることにより、大径部３０ａ及び中間部３０ｂの一部は、空洞部６０を圧縮する方向に撓みやすくなっている。
【００５２】
次に、本実施形態の作用について説明する。図１０に示すように、ロック状態のラッチ装置１１に対し、上述した無理抜き操作が行われた場合、ラッチ本体１５は、ガイドレバー１４と各ハートカム３６，３８との係止により、ロック位置に保持される。
【００５３】
一方、各挟持部３０は、ストライカーＳが引っ張られることにより、互いに離間する方向の力を受ける。この際、挟持部３０には、空洞部６０が形成されているので、枠部２１とストライカーＳとの間に挟まれて、ストライカーＳによって押圧されることにより空洞部６０を圧縮するように撓む。
【００５４】
そして、ストライカーＳの引っ張り力の大きさが所定値を超えると、挟持部３０が最大に圧縮されることにより、ストライカーＳの引き抜きを許容する。
従って、第３実施形態によれば、第１実施形態の（１）に記載の効果に加えて以下の効果を得ることができる。
【００５５】
（４）第３実施形態によれば、弾性部は、挟持部３０に形成された空洞部６０であるため、挟持部３０が比較的圧縮されやすくなる。このため、通常のロック状態では、挟持部３０は、ストライカーＳを挟持するが、ストライカーＳが強制的に引き抜かれる際には圧縮されてストライカーＳの引き抜きを許容する。
【００５６】
尚、上記各実施形態は以下のように変更してもよい。
・第３実施形態では、ラッチ本体１５の挟持部３０に空洞部６０を形成したが、図１２に示すように、ストライカーＳのうち、挟持部３０に挟まれる位置に、空洞部Ｓ３を形成し、この空洞部Ｓ３を弾性部としてもよい。このようにすると、ストライカーＳが比較的圧縮されやすくなるので、所定の大きさ以上の引き抜き力で、ストライカーＳが無理抜きされた際に、ストライカーＳの先端が圧縮して、挟持部３０による挟持を解除することができる。尚、ストライカーＳは所定の大きさ以上の引き抜き力で無理抜きされたときにのみ圧縮されるので、通常の操作時において、ロックされたストライカーＳがラッチ本体１５から引き抜かれない。
【００５７】
・上記各実施形態では、ガイドレバー１４は、一対のトレース部１４ａ，１４ｂを備える構成としたが、１つのトレース部１４ａを備える構成でもよい。この場合、ラッチ本体１５の一方に循環カム溝が形成される。
【００５８】
・第１実施形態では、枠部２１の内側にばね収容部２１ａを形成したが、樹脂ばね４０は、枠部２１の内側に弾性変形可能に接着剤等で固定されてもよく、ばね収容部２１ａは形成されていなくてもよい。
【００５９】
・第１実施形態では、ロック位置のラッチ本体１５の挟持部３０を互いに近接する方向に付勢するばねを、樹脂ばね４０から構成したが、金属製であって断面アーチ状のばねから構成してもよい。また、上記ばねは、断面アーチ状でなくてもよく、ハウジング１２に基端部が片持ち梁状に固定された板ばねから構成してもよい。
【００６０】
・第２実施形態では、スリット５０が形成された枠部２１を、ハウジング基体２０よりも撓みやすい樹脂から形成してもよい。又は、ハウジング全体を、可撓性の高い樹脂から形成してもよい。
【００６１】
・第２実施形態では、スリット５０を形成することにより枠部２１を撓みやすくしたが、枠部２１のうち少なくとも開口部側を薄肉化することにより可撓性を高めてもよい。
・第３実施形態では、空洞部６０が形成された挟持部３０を、ラッチ基体３１よりも撓みやすい樹脂から形成してもよい。又は、ラッチ本体全体を、可撓性の高い樹脂から形成してもよい。
【符号の説明】
【００６２】
１１…ラッチ装置、１２…ハウジング、１３…付勢ばね、１４…ガイドレバー、１５…ラッチ本体、３０…挟持部、３５ｃ…カム溝、５０…スリット、６０，Ｓ３…空洞部、Ｓ…ストライカー。
【図１】
2013213336.tif 000003
【図２】
2013213336.tif 000004
【図３】
2013213336.tif 000005
【図４】
2013213336.tif 000006
【図５】
2013213336.tif 000007
【図６】
2013213336.tif 000008
【図７】
2013213336.tif 000009
【図８】
2013213336.tif 000010
【図９】
2013213336.tif 000011
【図１０】
2013213336.tif 000012
【図１１】
2013213336.tif 000013
【図１２】
2013213336.tif 000014
【図１３】
2013213336.tif 000015
【図１４】
2013213336.tif 000016